(57)【要約】【課題】擁壁の断面厚さを、上段に至るほど薄くなる不等厚に構築することも可能な擁壁ブロックを提供する。【解決手段】上下段に積み重ねて擁壁を構築するための擁壁ブロックＡであって、前面ブロック１と、背面ブロック２と、前面ブロック１と背面ブロック２とを平行に保って互いに離間した状態に連結する連結棒３とからなり、前面ブロック１は厚肉の正面視四角形のコンクリート板であり、背面ブロック２は厚肉の背面視四角形のコンクリート板であり、かつ上端部に上段側の背面ブロック２を載置する載置部４を有しており、載置部４は、上段側の背面ブロック２を前後方向に載置位置を変えて載置できるスペースを有している。背面ブロック２の載置部４の後方位置に上段側の背面ブロック２を積み重ねれば、等厚断面の擁壁を構築でき、背面ブロック２の載置部４の前方位置に上段側の背面ブロック２を積み重ねれば、不等断面の擁壁を構築することができる。【選択図】図１
2013221366.tif 000002
【特許請求の範囲】
【請求項１】
上下段に積み重ねて擁壁を構築するための擁壁ブロックであって、
前面ブロックと、
背面ブロックと、前記前面ブロックと前記背面ブロックとを平行に保って互いに離間した状態に連結する連結棒とからなり、
前記前面ブロックは、厚肉の正面視四角形のコンクリート板であり、
前記背面ブロックは、厚肉の背面視四角形のコンクリート板であり、かつ上端部に上段側の背面ブロックを載置する載置部を有しており、該載置部は、上段側の背面ブロックを前後方向に載置位置を変えて載置できるスペースを有している
ことを特徴とする擁壁ブロック。
【請求項２】
前記連結棒は、両端部に雄ネジを形成したネジ棒であり、
前記前面ブロックには、前記連結棒の一端側の雄ネジを螺合しうる結合金具を取付け、前記背面ブロックには、前記連結棒の他端側の雄ネジを螺合しうる雄ネジが取付けられている
ことを特徴とする請求項１記載の擁壁ブロック。
【請求項３】
前記背面ブロックが、その下端部の背面に、背面ブロック自体の重量を支える支持板を備える
ことを特徴とする請求項１または２記載の擁壁ブロック。
【請求項４】
請求項１の擁壁ブロックを用い、  
下段の前面ブロックに上段の前面ブロックを順次に積み重ね、
下段の背面ブロックの載置部における後方位置に上段の背面ブロックを順次に積み重ね、前面ブロックと背面ブロックの間の間隔を同一に保たせて擁壁を構築する
ことを特徴とする擁壁の施工方法。
【請求項５】
請求項１の擁壁ブロックを用い、
下段の前面ブロックに上段の前面ブロックを順次に積み重ね、
下段の背面ブロックの載置部における前方位置に上段の背面ブロックを順次に積み重ね、
前面ブロックと背面ブロックの間の間隔を上段に向うにつれて狭くなるように擁壁を構築する
ことを特徴とする擁壁の施工方法。
【発明の詳細な説明】
【技術分野】
【０００１】
本発明は、擁壁ブロックおよびその施工方法に関する。さらに詳しくは、山道の側壁、河川や池の堤防、宅地造成地などの傾斜面に構築する擁壁ブロックおよびその施工方法に関する。
【背景技術】
【０００２】
山道等の傾斜面に構築する擁壁ブロックとして、特許文献１〜３の従来技術がある。これらは、いずれも、前面ブロックと裏型枠とを連結棒で連結して一体化したものである。前面ブロックはコンクリート製の厚板ブロックである、裏型枠は薄い板材であり、コンクリート製や合成樹脂製である。連結棒には数本の長尺ボルトが用いられる。このような擁壁ブロックを傾斜面の前面において、横方向に並べ、かつ上方に積み上げながら、裏型枠と傾斜面の間に裏込めコンクリートまたは裏込め砕石を投入し、前面ブロックと裏型枠との間に胴込めコンクリートを打設していく。これらのコンクリートが硬化すると、各擁壁ブロックが傾斜面と一体化し、擁壁の構築が完成する。
【０００３】
上記従来例の擁壁ブロックでは、前面ブロックは下端から上端に向けて後傾するよう傾斜しており、薄板状の裏型枠も同じ傾斜角で平行に傾斜して、連結されている。このような一体構造の擁壁ブロック７を上方に積み重ねていくので、断面の厚さは同じままで上方に延びる擁壁が構築される。
しかし、このような構造であると、上段側の擁壁ブロックほど受ける土圧が少なくて済むにも拘らず、断面厚さが等厚なので経済的ではない。
なお、裏型枠を前面ブロックに対して平行とせず、その傾斜角を直角に近づければ、上段に向うほど断面厚さが薄くなっていくように構築できるが、裏型枠の高さを調整し直したり、連結棒は長さの異なるものを多種用意する必要があり、施工性が低下するという問題があった。
【０００４】
また、擁壁ブロックの施工は、傾斜面の前面において、前面ブロックの後方に裏型枠を置き連結棒で連結して一体化したり、あるいは既に一体化している擁壁ブロックをクレーン等を使って設置し、さらに裏込め砕石の投入や胴込めコンクリートの打設を行う。
これらの作業は非常に狭い場所で行わねばならず、しかも構築が進むにつれて段々と高さが高くなる傾斜地で行うため、作業員が自由に動くことがままならないという環境下におかれる。しかも重筋作業が多く、ために危険な作業環境となる。
【０００５】
しかるに、従来技術の裏型枠は厚さの薄い板材であるので、作業員がまたいだり乗り越えたりする度に、裏型枠が揺れたり曲がったりするので、作業員の動きを阻害し、作業能率を低下させていた。しかも、危険な作業環境の中なので、作業能率の低下度合も大きかった。さらに、裏型枠が曲がりやすい薄板物であるので、勾配角度の調整や位置決めが難しかった。
【先行技術文献】
【特許文献】
【０００６】
【特許文献１】特許第３１９７８４８号公報
【特許文献２】特許第３７０７６７８号公報
【特許文献３】特開２００９−１３８４２６号公報
【発明の概要】
【発明が解決しようとする課題】
【０００７】
本発明は上記事情に鑑み、擁壁の断面厚さを等厚に構築するだけでなく、上段に至るほど薄くなるような不等厚に構築することも可能であり、かつ施工中の作業員の動きを容易にして作業能率を高めることもできる擁壁ブロックおよびその施工方法を提供することを目的とする。
【課題を解決するための手段】
【０００８】
第１発明の擁壁ブロックは、上下段に積み重ねて擁壁を構築するための擁壁ブロックであって、前面ブロックと、背面ブロックと、前記前面ブロックと前記背面ブロックとを平行に保って互いに離間した状態に連結する連結棒とからなり、前記前面ブロックは、厚肉の正面視四角形のコンクリート板であり、前記背面ブロックは、厚肉の背面視四角形のコンクリート板であり、かつ上端部に上段側の背面ブロックを載置する載置部を有しており、該載置部は、上段側の背面ブロックを前後方向に載置位置を変えて載置できるスペースを有していることを特徴とする。
第２発明の擁壁ブロックは、第１発明において、前記連結棒は、両端部に雄ネジを形成したネジ棒であり、前記前面ブロックには、前記連結棒の一端側の雄ネジを螺合しうる結合金具を取付け、前記背面ブロックには、前記連結棒の他端側の雄ネジを螺合しうる雄ネジが取付けられていることを特徴とする。
第３発明の擁壁の施工方法は、請求項１または２の擁壁ブロックを用い、前記背面ブロックが、その下端部の背面に、背面ブロック自体の重量を支える支持板を備えることを特徴とする。  
第４発明の擁壁の施工方法は、請求項１の擁壁ブロックを用い、下段の前面ブロックに上段の前面ブロックを順次に積み重ね、下段の背面ブロックの載置部における後方位置に上段の背面ブロックを順次に積み重ね、前面ブロックと背面ブロックの間の間隔を同一に保たせて擁壁を構築することを特徴とする。
第５発明の擁壁の施工方法は、請求項１の擁壁ブロックを用い、下段の前面ブロックに上段の前面ブロックを順次に積み重ね、下段の背面ブロックの載置部における前方位置に上段の背面ブロックを順次に積み重ね、前面ブロックと背面ブロックの間の間隔を上段に向うにつれて狭くなるように擁壁を構築することを特徴とする。
【発明の効果】
【０００９】
第１発明によれば、つぎの効果を奏する。
ａ）前面ブロックの上面に上段側の前面ブロックを積み重ね、背面ブロックの載置部の後方位置に上段側の背面ブロックを積み重ねれば、前面ブロックと背面ブロックとの間の間隔が等しい等厚断面の擁壁を構築できる。また、背面ブロックの載置部の前方位置に上段側の背面ブロックを積み重ねれば、前面ブロックと背面ブロックとの間隔が上段に至るほど狭くなる不等断面の擁壁を構築することができる。
ｂ）背面ブロックは厚肉のコンクリート板であるので強度が高く、作業員が乗り越えたり乗ったりしても撓んだり曲がったりすることがないので、作業員の移動が容易に行え、作業能率が向上する。
第２発明によれば、連結棒の両端の雄ネジを前面ブロックの結合金具と背面ブロックの雄ネジに螺合すると、前面ブロックと背面ブロックを組立て状態に結合することができ、また結合金具に対する雄ネジのネジ込み量を加減することで前面ブロックと背面ブロック間の間隔を簡易に調整できるので、擁壁構築の施工性が向上する。
第３発明によれば、支持板により背面ブロック自体の重量を支え、後方に倒れないように保持できる。このため、最下段の背面ブロックに使用したとき倒れ防止の作業が不要となるので施工が容易となる。
第４発明によれば、下段の背面ブロックの載置部における後方位置に上段の背面ブロックを積み重ねたときは、前面ブロックと背面ブロックとの間の間隔が下段側と上段側で同一寸法となるので、擁壁の断面厚さが同じ擁壁を構築することができる。また、この擁壁は、上段側でも前面ブロックと背面ブロックとの間の間隔が変らないので、同一仕様の連結棒を使用でき、経済的に施工できる。
第５発明によれば、下段の背面ブロックの載置部における前方位置に上段の背面ブロックを積み重ねたときは、前面ブロックと背面ブロックとの間の間隔が下段側よりも上段側に至るにつれて狭くなるので、擁壁の断面厚さが上段に向って狭くなる擁壁を構築できる。また、この擁壁は、上段側の擁壁ブロックの重量が軽くなるので下段側の擁壁ブロックも軽量化でき、より経済性が高い擁壁の構築が可能となる。
【図面の簡単な説明】
【００１０】
【図１】本発明の一実施形態に係る擁壁ブロックＡの側面図である。
【図２】図１に示す前面ブロック１の説明図であり、（Ａ）は側面図、（Ｂ）は背面図である。
【図３】図１に示す前面ブロック１の説明図であり、（Ｃ）は平面図、（Ｄ）は正面図である。
【図４】図１に示す背面ブロック２の説明図であり、（Ａ）は側面図、（Ｂ）は背面図である。
【図５】図１に示す背面ブロック２の説明図であり、（Ｃ）は平面図、（Ｄ）は正面図である。
【図６】（Ａ）は背面ブロック３の側面図、（Ｂ）は背面図である。
【図７】本発明に係る第１施工方法の説明図である。
【図８】第１施工方法で得られた等厚断面の擁壁の断面図である。
【図９】本発明に係る第２施工方法の説明図である。
【図１０】第２施工方法で得られた不等厚断面の擁壁の断面図である。
【発明を実施するための形態】
【００１１】
つぎに、本発明の実施形態を図面に基づき説明する。
（擁壁ブロックＡの基本構造）
図１に示すように、擁壁ブロックＡは、前面ブロック１と背面ブロック２とこれらを結合する連結棒３とからなる。
前面ブロック１は、厚肉の正面視四角形のコンクリート板であり、下端より上端が後方寄りに位置するように後傾している。
背面ブロック２は、厚肉の正面視四角形のコンクリート板であり、下端より上端が後方寄りに位置するよう後傾している。また、この背面ブロック２は、上端部に載置部４を形成していることが特徴である。
【００１２】
連結棒３は、長尺のネジ棒で構成されており、その両端には雄ネジが形成されている。この４本の連結棒３が各ブロック１、２の四隅に連結されている。そして、連結棒３により、前面ブロック１と背面ブロック２とは、互いに離間した状態で、かつ平行を保つ組立て状態に保持される。
【００１３】
（前面ブロック）
図２および図３に基づき、前面ブロック１の詳細を説明する。
前面ブロック１のブロック板１１は、正面視で四角形であるが、横方向に長い長四角形のほか、縦方向に長い長四角形や正四角形のものも含まれる。また、ブロック板１１は肉厚が、６０ｍｍ〜１２０ｍｍの厚肉コンクリート板である。後傾の角度は任意であり、５５〜７５度位が代表的であるが、これらの範囲に限られない。ブロック板１１の材料は、高強度コンクリートや繊維補強コンクリートなどである。
【００１４】
前面ブロック１のブロック板１１の背面には、左右２枚の連結部１２が形成されている。各連結部１２の片面部には埋込み雌ネジ１３が埋設され、後述する結合金具３２（図１参照）が取付け可能となっている。
ブロック板１１の適所、たとえば、上下方向の中間位置付近には、水抜きパイプを通す穴１８があけられている。
【００１５】
連結部１２の上面には、位置決め凸部１４が形成され、その前方位置には、結合ピン孔１５が形成されている。この位置決め凸部１４と結合ピン孔１５は直上段に載置する前面ブロックを正確に位置決めして結合するために設けられている。
さらに、連結部１２の下面には、位置決め凹部１６が形成され、その前方位置には結合ピン孔１７が形成されている。この位置決め凹部１６と結合ピン孔１７は、直下段の前面ブロックとの間で正確に位置決めして結合するために設けられている。
【００１６】
図１に示す結合金具３２は、連結棒３の一方の雄ネジを通し、ロックナット３３で螺合するようになっている。このロックナット３３の螺合位置を調整することにより、前面ブロック１と背面ブロック２との間の間隔を微調整することができる。
【００１７】
（背面ブロック）
図４および図５に基づき、背面ブロック２の詳細を説明する。
平面ブロック２のブロック板２１は、正面視で四角形であるが、横方向に長い長四角形のほか、正四角形のものも含まれる。また、ブロック板２１は肉厚が、６０〜１２０ｍｍの厚肉コンクリート板である。後傾の角度は任意であり、５５〜７５度位が代表的であるが、これらの範囲に限られない。ブロック板２１の材料は、高強度コンクリートや繊維補強コンクリートなどである。
【００１８】
ブロック板２１の四隅部分には、埋込み雌ネジ２３が埋設され、連結棒３の他端の雄ネジをねじ込み可能とされている（図１参照）。
また、ブロック板２１の適所、たとえば、上下方向の中間位置付近には、水抜きパイプを通す孔２８があけられている。
【００１９】
ブロック板２１の上端部に設けられた載置部４は、上端部から前方へ突出し、かつブロック板２１の全幅にわたって形成された厚肉板状の部材である。載置部４の前方位置には、直上段の背面ブロックを結合する結合ピンを挿入するための結合ピン孔４１が形成され、また後方位置には、直上段の背面ブロックを結合する結合ピンを挿入するための結合ピン孔４２が形成されている。さらに、ブロック板２１の下面部には、直下段の背面ブロックと結合する結合ピンを挿入するための結合ピン孔２７が形成されている。
【００２０】
図６には、基礎用の背面ブロック２Ａが示されている。この背面ブロック２Ａは、ブロック板２１の下端部の背面に左右２枚の支持板２５、２５を形成したものである。この支持板２５、２５は背面ブロック２Ａ自体を支えるもので、ブロック板２１の後傾により、重心位置が後方よりに所在しながらも、格別の倒れ防止策をしなくても背面ブロック２Ａを自立させることができる。
【００２１】
（施工方法）
つぎに、本発明の擁壁ブロックＡを用いた擁壁の２種の施工方法を説明する。
第１の施工方法は、等厚断面の擁壁を構築する方法である。図７に示すように、下段の前面ブロック１に上段の前面ブロック１を順次に積み重ね、下段の背面ブロック２（最下段は基礎用の背面ブロック２Ａ）の載置部４における後方位置に上段の背面ブロック２を順次に積み重ね、両ブロック１、２の間を連結棒３で連結する。なお、予め前面ブロック１と背面ブロック２を連結棒３で結合しユニット化しておいて積み重ねてもよい。
【００２２】
連結棒３による連結は、既述のごとく連結棒３の両端の雄ネジを結合金具３２と雄ネジ２３に螺合することにより行われる。また、両ブロック１、２間の間隔調整は、連結棒３の結合金具３２へのねじ込み固定位置の調整で行える。なお、施工中に背面ブロック２の倒れ防止のため適宜のサポート材９で両ブロック１、２間を仮止めしておいてもよい。
【００２３】
上段側のブロックと下段側のブロックの結合は、上下の結合ピン孔に結合ピンを打ち込む公知の方法によって行われる。８は前面ブロック１と背面ブロック２に通された水抜きパイプである。
このようにすると、前面ブロック１と背面ブロック２の間の間隔を同一に保たせて擁壁を構築することができる。なお、擁壁ブロックＡの構築は上下方向だけでなく、必要に応じ横方向にも同様の擁壁ブロックＡを並置し、かつ適宜の手段で連結して構築される。
【００２４】
上記のように、下段の背面ブロック２の載置部４における後方位置に上段の背面ブロック２を積み重ねたときは、図８に示すように、前面ブロック１と背面ブロック２との間の間隔が下段側と上段側で同一寸法となるので、擁壁の断面厚さが同じ擁壁を構築することができる。図中、Ｃは前面ブロック１と背面ブロック２との間に打設された胴込めコンクリート、Ｄは背面ブロックと傾斜地面との間に埋め戻しされた裏込め砕石である。
【００２５】
このように構築した擁壁は、前面ブロック１と背面ブロック２との間の間隔が上段側に至っても同じであるので、同一仕様の連結棒３を用いることができ、施工性に優れ経済性も高くなる。この施工後は、とくに擁壁高が低い場合に有効である。
【００２６】
第２の施工方法は、不等厚断面の擁壁を構築する方法である。
図９に示すように、下段の前面ブロック１に上段の前面ブロック１を順次に積み重ね、下段の背面ブロック２（最下段は基礎用の背面ブロック２Ａ）の載置部４における前方位置に上段の背面ブロック２を順次に積み重ね、両ブロック１、２の間を連結棒３で連結する。なお、予め前面ブロック１と背面ブロック２を連結棒３で結合しユニット化しておいて積み重ねてもよい。上段側のブロックと下段側のブロックの結合は、上下の結合ピン孔に結合ピンを打ち込む公知の方法によって行われる。８は前面ブロック１と背面ブロック２に通された水抜きパイプである。
【００２７】
このようにすると、前面ブロック１と背面ブロック２の間の間隔を上段に向うにつれて狭くなるように擁壁を構築する。
なお、連結棒３は、上段側に至るほど短いものを用いる。なお、前面ブロック１と背面ブロック２との間の間隔調整は、第１の施工方法と同様にして行われる。
【００２８】
上記のように、下段の背面ブロック２の載置部４における前方位置に上段の背面ブロック２を積み重ねたときは、図１０に示すように、前面ブロック１と背面ブロック２との間の間隔が下段側よりも上段側に至るにつれて狭くなるので、擁壁の断面厚さが上段に向って狭くなる擁壁を構築できる。図中、Ｃは前面ブロック１と背面ブロック２との間に打設された胴込めコンクリート、Ｄは背面ブロックと傾斜地面との間に埋め戻しされた裏込め砕石である。
【００２９】
このように構築した擁壁は、上段側の擁壁ブロックＡの重量が軽くなるので下段側の擁壁ブロックＡも軽量化でき、より高い擁壁の構築が可能となり、かつ経済性の高い擁壁を構築することができる。
【００３０】
また、本発明の施工方法は、第１および第２の施工方法を通じて、つぎの効果を奏する。
背面ブロック２は厚肉のコンクリート板であるので強度が高く、作業員が乗り越えたり乗ったりしても撓んだり曲がったりすることがないので、作業員の移動が容易に行え、作業能率が向上する。
さらに、基礎用の背面ブロック２は、支持板２５により背面ブロック２自体の重量を支え、後方に倒れないように保持できる。このため、倒れ防止の作業が不要となるので施工が容易となる。
【符号の説明】
【００３１】
１  前面ブロック
２  背面ブロック  
３  連結棒
４  載置部
１１  ブロック板
１２  連結部
１４  位置決め凸部
２１  ブロック板
４１  結合ピン孔
４２  結合ピン孔
【図１】
2013221366.tif 000003
【図２】
2013221366.tif 000004
【図３】
2013221366.tif 000005
【図４】
2013221366.tif 000006
【図５】
2013221366.tif 000007
【図６】
2013221366.tif 000008
【図７】
2013221366.tif 000009
【図８】
2013221366.tif 000010
【図９】
2013221366.tif 000011
【図１０】
2013221366.tif 000012